(57)【要約】【課題】両手で把持して操作でき、かつシャッタ操作時のブレをなくする。【解決手段】カメラボディ１と、　該カメラボディ１の前面の略中央に設けられている、固体撮像素子３上に被写体を結像する撮影レンズ２と、該カメラボディ１の後面の、前記撮影レンズ２の光軸が略中心を通る位置に配置された表示パネル３、前記カメラボディ１の前面の前記撮影レンズ２を避けた左もしくは右の少なくとも一方の位置に配置されたシャッタボタン６ａ、６ｂとを備える。【選択図】　　　　図１
2004140568.tif 000002
【特許請求の範囲】
【請求項１】
結像される被写体像を読み取って画像信号を得る固体撮像素子を備え、撮影操作に応じたタイミングで固体撮像素子で読み取った画像信号を記録するデジタルカメラにおいて、
カメラボディと、
該カメラボディの前面の略中央に設けられている、前記固体撮像素子上に被写体を結像する撮影レンズと、
該カメラボディの後面の、前記撮影レンズの光軸が略中心を通る位置に配置された、前記固体撮像素子で得られた画像信号に基づく画像を表示する表示パネルと、
前記カメラボディの前面の、前記撮影レンズを避けた左もしくは右の少なくとも一方の位置に配置された撮影操作用のシャッタボタンとを備えたことを特徴とするデジタルカメラ。
【請求項２】
前記シャッタボタンは、前記カメラボディの前面の、前記撮影レンズを避けた左および右の双方に配置されていることを特徴とする請求項１記載のデジタルカメラ。
【請求項３】
前記カメラボディの、前記シャッタボタンが配置された位置よりも左右の端に寄った両端部に手で前記カメラボディを把持したときに指を掛ける指掛り部が形成されていることを特徴とする請求項２記載のデジタルカメラ。
【発明の詳細な説明】
【０００１】
【発明の属する技術分野】
本発明は、カメラボディの中央部の表裏に撮影レンズおよび表示パネルを有する細長い直方体形状状のデジタルカメラに関する。
【０００２】
【従来の技術】
従来のデジタルカメラにおいて、カメラボディは扁平で縦方向に細長い直方体形状であって、撮影レンズがカメラボディの長手方向の一端部に設けられ、かつ、レリーズボタン（シャッタボタン）が上部に設けられたものがある（例えば、特許文献１参照）。
【０００３】
また、カメラボディの前面の略中央に撮影レンズが配置され、この撮影レンズの光軸が略中心を通る位置に配置された表示パネル（液晶）が背面に設けられているものもある（例えば、特許文献２参照）。
【０００４】
【特許文献１】
特開２００２−７７６８７号公報
【特許文献２】
特開平１０−３４１３６５号公報
【０００５】
【発明が解決しようとする課題】
特許文献１に示すような縦方向に細長い直方体形状のカメラボディでは、両手でカメラを把持することが困難であり、片手で把持した状態で上部のシャッタボタンを操作すると、カメラホールド性が悪く、撮影時のカメラの姿勢が安定せず、撮影画像にブレを生じやすい。
【０００６】
両手でカメラを把持するには、カメラボディは扁平で横方向に細長い直方体形状とし、かつ、カメラボディの表裏の略中央に撮影レンズおよび表示パネルを設けて撮影時に指がこれらに掛からないようにすることが好ましい。上記特許文献２には、カメラボディの表裏の略中央に撮影レンズおよび表示パネルを設ける技術は開示されているが、カメラホールド性およびシャッタ操作性についてはなんら記載されていない。
【０００７】
本発明は、上記事情に鑑み、両手で把持して操作でき、かつシャッタ操作時に上下方向のブレのないデジタルカメラを提供することを目的とする。
【０００８】
【課題を解決するための手段】
上記目的を達成する本発明のデジタルカメラは、結像される被写体像を読み取って画像信号を得る固体撮像素子を備え、撮影操作に応じたタイミングで固体撮像素子で読み取った画像信号を記録するデジタルカメラにおいて、
カメラボディと、
該カメラボディの前面の略中央に設けられている、前記固体撮像素子上に被写体を結像する撮影レンズと、
該カメラボディの後面の、前記撮影レンズの光軸が略中心を通る位置に配置された、前記固体撮像素子で得られた画像信号に基づく画像を表示する表示パネルと、
前記カメラボディの前面の、前記撮影レンズを避けた左もしくは右の少なくとも一方の位置に配置された撮影操作用のシャッタボタンとを備えたことを特徴とする。
【０００９】
本発明のデジタルカメラでは、親指でカメラボディの背面を、他の指で前面を各々保持し、この状態で人差し指あるいは好みの指でカメラボディ前面のシャッタボタンを押すことにより撮影が行われる。カメラボディの前面の略中央部に撮影レンズを、後面の略中央部に表示パネルを配置することにより、両手でカメラを把持して撮影する場合、撮影レンズおよび表示パネルは両手の指から離れた位置にくることになり、これらに指が掛かって撮影に支障をきたすことがなくなり、両手把持で安定した撮影が可能となる。また、シャッタボタンをカメラボディの前面に設けたので、シャッタ操作のときのいわゆる手ブレの方向は、撮影レンズの光軸方向に限定されるため、撮影画像が上下左右方向にぶれることがなくなる。
【００１０】
前記シャッタボタンは、前記カメラボディの前面の、前記撮影レンズを避けた左および右の双方に配置することも可能である。
【００１１】
また、前記カメラボディの、前記シャッタボタンが配置された位置よりも左右の端に寄った両端部に手で前記カメラボディを把持したときに指を掛ける指掛り部を形成することができる。
【００１２】
【発明の実施の形態】
以下、本発明の実施形態について説明する。
【００１３】
図１は、本実施形態のデジタルカメラの前面側から見た斜視図、図２は背面側から見た斜視図である。
【００１４】
同図において、本実施形態のデジタルカメラは、カメラボディ１と、このカメラボディ１の前面の略中央に設けられている撮影レンズ２と、この撮影レンズ２で結像される被写体像を読み取って画像信号を得る固体撮像素子３と、カメラボディ１の後面であって、撮影レンズ２の光軸Ｌが略中心４ａを通る位置に配置され、固体撮像素子３で得られた画像信号に基づく画像を表示する液晶の表示パネル４と、ファインダ１３を備えている。
【００１５】
カメラボディ１は、横長の長方体形状をなし、撮影レンズ２の両側には両手の指がかかる程度のホールドスペース５を有している。このホールドスペース５の所望箇所、好ましくは撮影レンズ２の両側位置にシャッタボタン６ａ、６ｂが設けられている。図示の例は撮影レンズ２の両側に設けた例であるが、撮影レンズ２の左側または右側のいずれか一方でもよい。
【００１６】
ホールドスペース５の両外端寄りには、例えば断面三角形状のリブからなる指掛り部７が設けられている。
【００１７】
シャッタボタン６ａ、６ｂ以外の操作系、例えば、モードレバー８、電源スイッチ９、メニュー実行ボタン１０、シフトボタン１１、表示ボタン１２等はカメラボディ１の上部に設けられている。
【００１８】
図３に、カメラボディ１を手に持って撮影する状態を示している。親指１５でカメラボディ１の背面を、他の指１６で前面を各々保持し、この状態で人差し指あるいは好みの指でシャッタボタン６ａまたは６ｂのいずれかを押すことにより撮影が行われる。
【００１９】
このように、カメラボディ１の前面の略中央部に撮影レンズ２を、後面の略中央部に表示パネル４を配置することにより、両手でカメラを把持して撮影する場合、撮影レンズ２および表示パネル４は両手の指から離れた位置にくることになり、これらに指が掛かって撮影に支障をきたすことがなくなり、両手把持で安定した撮影が可能となると共に、シャッタボタン６ａ、６ｂをカメラボディ１の前面であって撮影レンズ２の側部のホールドスペース５に設けたので、シャッタ操作のときのいわゆる手ブレの方向は、カメラボディ１の厚み方向、すなわち撮影レンズ２の光軸方向に限定されるため、撮影画像が上下左右方向にぶれることがなくなる。
【００２０】
また、撮影レンズ２および表示パネル４が共にカメラボディ１の中央にくるため、表示パネル４の中心と撮影レンズ２の中心である光軸が一致し、表示パネル４を見ながらの撮影操作が容易になる。
【００２１】
さらにまた、上記ホールドスペース５に指掛り部７を設けることにより、カメラ把持の際の滑り等が生じにくくなり、両手把持とあいまってカメラの操作性がより向上する。
【００２２】
【発明の効果】
以上、説明したように、本発明によれば、カメラボディの前面の略中央に撮影レンズ、後面の略中央に表示パネル、前面の撮影レンズを避けた左もしくは右の少なくとも一方にシャッタボタンを各々配置したので、両手でカメラを把持して撮影する場合、撮影レンズおよび表示パネルに指が掛かって撮影に支障をきたすことがなくなり、両手把持で安定した撮影が可能となると共に、シャッタボタンをカメラボディの前面に設けたので、シャッタ操作のときの手ブレの方向は撮影レンズの光軸方向に限定され、撮影画像が上下左右方向にぶれることがなくなり、安定した画像が得られる。
【図面の簡単な説明】
【図１】本実施形態のデジタルカメラの前面側から見た斜視図である。
【図２】本実施形態のデジタルカメラの背面側から見た斜視図である。
【図３】カメラを手に持って撮影する状態の斜視図である。
【符号の説明】
１　　カメラボディ
２　　撮影レンズ
３　　固体撮像素子
４　　表示パネル
６ａ、６ｂ　　シャッタボタン
７　　指掛り部
【図１】
2004140568.tif 000003
【図２】
2004140568.tif 000004
【図３】
2004140568.tif 000005